(57)【特許請求の範囲】
【請求項１】
ユーザ装置の動作方法であって、
第１の節電モードに遷移したことを判定することと；
前記第１の節電モードにおいて、節電モード構成の指示を含む節電モード指示（ＰＳＭＩ）を送信することと、
接続解除指示を受信することと、
前記接続解除指示を受信した後に節電モード構成条件が満たされることに応じて、第２の節電モードに遷移することと、
を含む方法。
【請求項２】
前記第１の節電モードに遷移することに応じて、節電モードタイマーを開始することと；
前記節電モードタイマーに関するタイマー条件が満たされたことに応じて、前記ＰＳＭＩを送信することと；
を更に含む、請求項１に記載の方法。
【請求項３】
前記タイマー条件は、前記節電モードタイマーが開始したことである、請求項２に記載の方法。
【請求項４】
前記節電モード構成条件は、前記第１の節電モードにおいて前記節電モードタイマーが終了することである、請求項１から３のいずれかに記載の方法。
【請求項５】
前記タイマー条件は、前記節電モードタイマーが終了したことである、請求項２に記載の方法。
【請求項６】
前記接続解除指示を受信することに応じて、前記節電モードタイマーを再開することを含み、前記節電モード構成条件は、前記再開した節電モードタイマーが終了することである、請求項５に記載の方法。
【請求項７】
前記ＰＳＭＩは、
・  節電モードタイマー値；
・  節電モードタイマー経過値；
・  節電モードタイマー初期値；
・  シグナリング接続解除指示；
・  電力設定指示；
の少なくともいずれかを含む、請求項１から６のいずれかに記載の方法。
【請求項８】
処理手段及び記憶手段を備える装置であって、前記記憶手段はプログラム命令を格納し、前記プログラム命令は、前記処理手段に実行されると、前記装置に、請求項１から７のいずれかに記載の方法を遂行させるように構成される、装置。
【請求項９】
装置の処理手段に実行されると、前記装置に、請求項１から７のいずれかに記載の方法を遂行させるように構成されるプログラム命令を備える、コンピュータプログラム。
【発明の詳細な説明】
【技術分野】
【０００１】
本発明の例示的実施形態は、ユーザ端末電力モードに関し、より詳細には、ユーザ端末節電モード構成をネットワークに示すことに関する。
【背景】
【０００２】
マシンツーマシン（Machine-to-Machine：Ｍ２Ｍ）またはマシン型通信（Machine-Type Communications：ＭＴＣ）が普及し、スマートグリッド、ホームネットワーク、ヘルスケアネットワーク、車両ネットワーク環境で展開されている。ＭＴＣユーザ端末（User Equipment：ＵＥ）はバッテリ寿命が限られている場合があり、さらにバッテリ交換が非常に困難かつ高額となる場合すらある。ＭＴＣ  ＵＥによっては、ネットワークへの接続状態が維持されることでバッテリ容量がデータのやり取りにより消費されてしまうにも関わらず、アクティブ接続状態にとどまってしまう。
【０００３】
ＵＥは、ＣＥＬＬ／ＵＲＡ＿ＰＣＨ（Cell Paging Channel）またはＣＥＬＬ＿ＦＡＣＨ（Cell Forwarding Channel）等、省電力化無線リソース制御接続が可能である。ただその場合でも、ＵＥの電力消費量は接続していない状態と比して圧倒的に多い。
【摘要】
【０００４】
ユーザ端末節電モード構成をネットワークに示すための、例示的実施形態に係る方法、装置およびコンピュータプログラムプロダクトが提供される。例示的実施形態において、節電モード指示（power saving mode indication：ＰＳＭＩ）を送信させることを含む方法が提供される。前記ＰＳＭＩは、節電モード構成の指示を含む。方法はさらに、接続解除コマンド指示を受信することと、前記接続解除コマンド指示と、節電モード構成条件が満たされたことに応じて、節電モードに遷移することも含む。
【０００５】
例示的実施形態において、方法はさらに省電力化無線リソース制御接続に遷移したユーザ端末を判定することを含む。さらなる例示的実施形態においては、方法は節電モードタイマーを開始することを含む。前記節電モード構成条件が満たされることは、節電モードタイマーが終了することを含む。
【０００６】
この方法の例示的実施形態において、ＰＳＭＩは節電モードタイマー値をさらに含む。この方法のいくつかの例示的実施形態では、ＰＳＭＩはさらに節電モードタイマー現在値と節電モードタイマー初期値とを含む。この方法の例示的実施形態において、ＰＳＭＩはシグナリング接続解除指示または電力設定指示となる。
【０００７】
例示的実施形態において、ユーザ端末の節電モード構成を含む節電モード指示を受信することと、前記ユーザ端末が少なくとも１つの節電モード構成条件を満たすことに基づいて、接続解除コマンド指示を送信させることとを含む方法が提供される。
【０００８】
別の例示的実施形態では、少なくとも１つのプロセッサと、コンピュータプログラムコードを含む少なくとも１つのメモリとを有する装置が提供される。前記少なくとも１つのメモリおよび前記コンピュータプログラムコードは、前記プロセッサと協働して、前記装置に節電モード指示（ＰＳＭＩ）を送信させるように構成される。前記ＰＳＭＩは、節電モード構成の指示を含む。前記少なくとも１つのメモリおよび前記コンピュータプログラムコードは、前記プロセッサと協働して、前記装置にさらに接続解除コマンド指示を受信させ、前記接続解除コマンド指示と、節電モード構成条件が満たされたこととに応じて、節電モードに遷移させるように構成される。
【０００９】
例示的実施形態の少なくとも１つのメモリおよびコンピュータプログラムコードは、前記プロセッサと協働して、前記装置に省電力化無線リソース制御接続に遷移したユーザ端末を判定させるように構成される。例示的実施形態に係る少なくとも１つのメモリおよびコンピュータプログラムコードはさらに、前記プロセッサと協働して、前記装置に節電モードタイマーを開始させるように構成される。前記節電モード構成条件が満たされることは、節電モードタイマーが終了することを含む。
【００１０】
前記装置の例示的実施形態において、前記ＰＳＭＩはさらに節電モードタイマー値を含む。前記装置のいくつかの例示的実施形態では、前記ＰＳＭＩはさらに節電モードタイマー現在値と節電モードタイマー初期値とを含む。
【００１１】
前記装置の例示的実施形態において、前記ＰＳＭＩはシグナリング接続解除指示または電力設定指示である。
【００１２】
別の例示的実施形態では、少なくとも１つのプロセッサと、コンピュータプログラムコードを含む少なくとも１つのメモリとを有する装置が提供される。前記少なくとも１つのメモリおよび前記コンピュータプログラムコードは、前記プロセッサと協働して、前記装置に少なくとも、ユーザ端末の節電モード構成を含む節電モード指示を受信させ、前記ユーザ端末が少なくとも１つの節電モード構成条件を満たしたことに応じて、接続解除コマンド指示を送信させるように構成される。
【００１３】
さらに別の実施形態では、コンピュータ実行可能プログラムコード部を記憶する少なくとも１つの非一時的コンピュータ可読記憶媒体を有するコンピュータプログラムプロダクトが提供される。前記コンピュータ実行可能プログラムコード部は、節電モード指示（ＰＳＭＩ）を送信させるように構成されたプログラムコード指示を含む。前記ＰＳＭＩは、節電モード構成の指示を含む。前記コンピュータ実行可能プログラムコード部は、さらに接続解除コマンド指示を受信し、接続解除コマンド指示と節電モード構成条件を満たしたことに応じて節電モードに遷移するように構成されたプログラムコード指示を含む。
【００１４】
例示的実施形態に係るプログラムコード指示を含むコンピュータ実行可能プログラムコード部は、さらにユーザ端末が省電力化無線リソース制御接続に遷移したかを判定するように構成される。例示的実施形態に係るプログラムコード指示を含むコンピュータ実行可能プログラムコード部は、さらに節電モードタイマーを開始するように構成される。前記節電モード構成条件が満たされることは、節電モードタイマーが終了することを含む。
【００１５】
前記コンピュータプログラムプロダクトの例示的実施形態において、前記ＰＳＭＩはさらに節電モードタイマー値を含む。前記コンピュータプログラムプロダクトのいくつかの例示的実施形態では、前記ＰＳＭＩは節電モードタイマー現在値および節電モードタイマー初期値を含む。
【００１６】
前記コンピュータプログラムプロダクトの例示的実施形態において、前記ＰＳＭＩはシグナリング接続解除指示または電力設定指示である。
【００１７】
例示的実施形態において、コンピュータ実行可能プログラムコード部を記憶する少なくとも１つの非一時的コンピュータ可読記憶媒体を有するコンピュータプログラムプロダクトが提供される。前記コンピュータ実行可能プログラムコード部は、ユーザ端末の節電モード構成を含む節電モード指示を受信し、前記ユーザ端末が少なくとも１つの節電モード構成条件を満たしたことに応じて、接続解除コマンド指示を送信させるように構成されたプログラムコード指示を含む。
【００１８】
さらに別の例示的実施形態では、節電モード指示（ＰＳＭＩ）を送信させる手段を含む装置が提供される。前記ＰＳＭＩは、節電モード構成の指示を含む。前記装置はさらに、接続解除コマンド指示を受信する手段と、前記接続解除コマンド指示と、節電モード構成条件を満たすこととに応じて、節電モードに遷移する手段とを有する。
【００１９】
さらに別の例示的実施形態では、ユーザ端末の節電モード構成を含む節電モード指示を受信する手段と、前記ユーザ端末が少なくとも１つの節電モード構成条件を満たしたことに応じて、接続解除コマンド指示を送信させる手段とを有する装置が提供される。
【図面の簡単な説明】
【００２０】
概略的に上述した本発明の例示的実施形態について、以下の必ずしも実寸に描かれていない添付の図面を参照する。
【００２１】
【図１】図１は、本発明の例示的実施形態に係る通信を示す図である。
【００２２】
【図２】図２は、本発明の例示的実施形態に係る、ネットワークにユーザ端末節電モード構成を示すよう具体的に構成され得る装置を示すブロック図である。
【００２３】
【図３】図３は、本発明の例示的実施形態に係る、図２に示す装置等により実行される操作を示すフローチャートである。
【図４】図４は、本発明の例示的実施形態に係る、図２に示す装置等により実行される操作を示すフローチャートである。
【詳細説明】
【００２４】
本発明の実施形態の全てではなく一部を示す添付の図を参照しながら、本発明のいくつかの実施形態を以下により詳細に説明する。本発明の様々な実施形態は、異なる様々な形態で実現できるため、本明細書に記載の実施形態に限定されるものと解されるべきではない。むしろそれら実施形態は本開示が該当する法的要件を満たすよう提供されるものである。全体として、同様の要素は同様の参照符号で示される。本明細書において、「データ」、「コンテンツ」、「情報」、およびそれに類する用語は、本発明の実施形態において送信受信や、記憶可能なデータを示すよう互換的に使用可能である。したがって、それら用語の使用が本発明の実施形態の要旨、範囲を限定するものと解されるべきではない。
【００２５】
さらに、「回路」という用語は、（ａ）ハードウェアのみによって実現される回路（例えば、アナログ回路や、デジタル回路の実現）、（ｂ）回路と、協働して装置に本明細書に記載の１つ以上の動作を実行させる１つ以上のコンピュータ可読メモリに記憶されたソフトウェアおよび／またはファームウェア指示を含むコンピュータプログラムプロダクト（複数可）との組合せ、（ｃ）物理的なソフトウェアまたはファームウェアが存在しなくとも、操作にソフトウェアまたはファームウェアを要するマイクロプロセッサ（複数可）またはマイクロプロセッサマイクロプロセッサ（複数可）の一部のような回路を指す。この「回路」の定義は、全クレームを含む、本明細書においてこの用語が使用される文脈すべてに当てはまる。本明細書におけるさらなる使用例として、「回路」という用語は１つ以上のプロセッサや、その一部とそのソフトウェアおよび／またはファームウェアによる実現を含む。別の例としては、「回路」という用語はさらに、例えば携帯電話用のベースバンド集積回路またはアプリケーションプロセッサ集積回路、あるいはサーバ、携帯電話ネットワーク装置、その他のネットワーク装置やその他のコンピューティング装置用の同様の集積回路も含む。
【００２６】
本明細書に定義される「コンピュータ可読記憶媒体」は非一時的物理的記憶媒体（例えば揮発性または不揮発性メモリ装置）を指し、電磁信号を指す「コンピュータ可読伝送媒体」とは区別できる。
【００２７】
ネットワークにユーザ端末節電モード構成を示す例示的実施形態に係る方法、装置およびコンピュータプログラムプロダクトが提供される。図１は、ユーザ端末（ＵＥ）１０２とのマシンツーマシン（Ｍ２Ｍ）またはマシン型通信（ＭＴＣ）を支援する無線アクセスネットワーク（Radio Access Network：ＲＡＮ）１０４を含む通信を示す図である。ＲＡＮはコアネットワーク１０６とデータ通信できる。ＵＥ１０２はモバイルコンピュータ端末、固定コンピュータ装置、監視装置、アクチュエータ装置であってもよい。モバイルコンピュータ端末の例としては、ノートパソコン、タブレットコンピュータ、スマートフォン、ウェアラブルコンピュータ装置、携帯型情報端末（Personal Data Assistant：ＰＤＡ）等が挙げられる。固定コンピュータ装置の例としては、パーソナルコンピュータ、キオスク等が挙げられる。監視装置の例としては、センサが挙げられる。アクチュエータ装置の例としては、スイッチやサーボが挙げられる。ＲＡＮ１０４は、ＬＴＥ（Long-Term Evolution）、３ＧＰＰ（3rd Generation Partnership Project）対応、またはその他セルラーまたは無線ネットワークであってもよい。コアネットワーク１０６は、ＭＭＥ（Mobility Management Entity）またはＳＧＳＮ（Service General Packet Radio Service Support Node）であってもよい。
【００２８】
例示的実施形態のＵＥ１０２は、節電モード（ＰＳＭ）を持つ構成であってもよい。ＰＳＭでは、所定の非活動期間後にアクセス層（Access Stratum：ＡＳ）機能が停止または制限される。ＰＳＭタイマーをやり取りする非アクセス層（Non-Access Stratum：ＮＡＳ）シグナリングを使用して、ＰＳＭに遷移するタイミングを判定してもよい。ＵＥ１０２は、可動性に関連した測定や再選択を含むすべてのアクセス層レベルの機能を停止することでＰＳＭに遷移してもよい。ＰＳＭでは、例えばＵＥがページングチャネルに無反応となるため、ＲＡＮ１０４からアクセス不能となり得る。ただし、ネットワークに送るべきデータがあれば、ＵＥ１０２はＲＡＮ１０４との接続の確立をいつでも開始してもよい。接続状態の成立や、例えばＰＳＭ遅延期間のようなＰＳＭタイマーの終了のように、ＰＳＭ構成条件が満たされたことに応じて、ＵＥ１０２はＰＳＭに遷移してもよい。ＰＳＭ構成はさらに、ＰＳＭがＰＳＭ遷移のためのＰＳＭタイマーを開始することや、ＰＳＭＩ指示がＲＡＮ１０４に送信される条件のような条件を含んでもよい。
【００２９】
ＲＡＮ１０４とのアクティブデータ通信中、ＵＥ１０２は専用チャネル（ＣＥＬＬ＿ＤＣＨ）で動作してもよい。ＲＡＮ１０４とのアクティブデータ通信が完了すると、ＵＥ１０２はＣＥＬＬ／ＵＲＡ＿ＰＣＨ（Cell Paging Channel）またはＣＥＬＬ＿ＦＡＣＨ（Cell Forwarding Channel）のような省電力化無線リソース制御（Radio Resource Control：ＲＲＣ）接続に遷移してもよい。ＵＥ１０２は、省電力化ＲＲＣ接続への遷移に応じてＰＳＭタイマーを開始してもよい。ＰＳＭタイマーは例えば１０秒のような所定の時間値となるまで、または例えば１０秒から０秒へのカウントダウンのようにタイマーが時間切れとなるまでカウントするように構成されてもよい。ＰＳＭタイマー初期値は、１、５、１０、３０または６０秒、あるいはその他の時間値であってもよい。
【００３０】
例示的実施形態において、ＵＥ１０２はＲＡＮ１０４に対してＰＳＭ指示（ＰＳＭＩ）を送信させてもよい。ＰＳＭＩは、ＲＡＮが例えばＵＴＲＡＮ（Universal Terrestrial Radio Access）のように３ＧＰＰ対応であれば信号接続解除指示であってもよく、ＲＡＮが例えばＥ−ＵＴＲＡＮ（Evolved-UTRAN）のようにＬＴＥ対応であれば電力設定指示であってもよく、あるいはその他のメッセージであってもよい。ＰＳＭＩは、ＰＳＭ構成、ＰＳＭタイマー動作指示、ＰＳＭタイマー初期値、ＰＳＭタイマー現在値、ＰＳＭ遷移指示、ＰＳＭ解除指示、ＰＳＭ要求等の内の１つ以上のものを含んでもよい。
【００３１】
例示的実施形態において、ＵＥ１０２は、省電力化ＲＲＣ接続への遷移、ＰＳＭタイマー開始または終了等のＰＳＭ構成条件をＵＥ１０２が少なくとも部分的に満たしたことに応じてＰＳＭＩを送信させてもよい。ＰＳＭＩは、ＰＳＭ構成や、例えばＰＳＭタイマーの時間切れのようなＰＳＭタイマーの終了、ＵＥが省電力化ＲＲＣ接続に遷移した等の接続状態等を示してもよい。別の例示的実施形態では、ＵＥ１０２は、ＰＳＭタイマーの開始に合わせてＰＳＭＩを送信させてもよい。このＰＳＭＩは、ＰＳＭ構成およびＰＳＭタイマー初期値を含んでもよい。別の例示的実施形態では、ＵＥ１０２は、ＳＣＲＩ送信前にＰＳＭタイマーを開始してもよく、ＰＳＭタイマー終了前のＰＳＭＩとしてＰＳＭ構成およびＰＳＭタイマー現在値および／または初期値を含んでもよい。
【００３２】
さらに／あるいは、無線リソース制御（ＲＲＣ）接続の確立中、ＲＲＣ接続中、またはＲＲＣ解除段階において、ＰＳＭＩがＲＡＮ１０４に送信されてもよい。
【００３３】
例示的実施形態において、コアネットワーク１０６はＰＳＭＩをＲＡＮ１０４に送信してもよい。コアネットワーク１０６により送信されたＰＳＭＩは、ＰＳＭ構成や、ＵＥ１０２に対するＰＳＭタイマー情報を含んでもよい。ＰＳＭタイマーは、コアネットワーク１０６およびＵＥ１０２の間の非アクセス層上に構成されてもよい。ＰＳＭＩはさらに、ＰＳＭＩタイマー開始、ＰＳＭタイマー現在値、ＰＳＭタイマー終了等を示す指示を含んでもよい。
【００３４】
ＲＡＮ１０４は、ＰＳＭ条件に基づいて接続解除コマンド指示を送信させてもよい。省電力化ＲＣＣ接続への遷移やＰＳＭタイマー開始または終了等の１つ以上のＰＳＭ構成条件が満たされたことで、ＵＥ１０２のＰＳＭ構成によりＰＳＭＩの送信が指示されたことに合わせてＰＳＭＩを受信したことで、ＲＡＮ１０４はＵＥ１０２がＰＳＭ構成条件を少なくとも部分的に満たしたと判定してもよい。さらに／あるいは、ＲＡＮ１０４は１つ以上のＰＳＭ構成条件が満たされたと判定したことに基づき、解除接続指示を送信させてもよい。例えば、ＲＲＣ接続中またはＲＲＣ接続の確立中にＰＳＭＩを受信すると、ＲＡＮ１０４はＵＥ１０２が省電力化ＲＲＣ接続に遷移するなどしてＰＳＭ構成条件が満たされたと判定し、解除接続指示を送信してもよい。
【００３５】
接続解除コマンド指示は、ＵＥ１０２がアイドルモードまたはＰＳＭに遷移したことを示してもよい。解除接続指示を受信すると、ＰＳＭタイマーが終了することや、接続解除コマンド指示がＵＥ１０２のＰＳＭへの遷移を示し、それがＰＳＭ構成条件を満たすのであれば、ＵＥ１０２は即座にＰＳＭに遷移してもよい。別の例示的実施形態では、ＵＥ１０２はＰＳＭタイマーが終了していない、例えばタイマーのカウントが終了していなければ、ＰＳＭへの遷移を待機してもよい。さらに別の例示的実施形態では、ＵＥ１０２のＰＳＭ構成は、アイドルモード遷移指示のような接続解除コマンド指示に基づいて、ＰＳＭタイマーを再開してもよい。アイドルモードでＰＳＭタイマーが終了してＰＳＭ構成条件が満たされた後、ＵＥはＰＳＭに遷移してもよい。別の例示的実施形態では、ＵＥはその他のＰＳＭ構成条件に基づいてＰＳＭへの遷移を待機してもよい。
装置例
【００３６】
ＵＥ１０２またはＲＡＮ１０４は、図２に示す装置２００を含むか、その他方法で対応付けられてもよい。図２に示すような装置は、ネットワークにユーザ端末節電モード構成を示すよう、本発明の例示的実施形態において具体的に構成されている。この装置は、プロセッサ２０２、メモリ装置２０４、通信インタフェース２０６、およびユーザインタフェース２０８を含むか、その他方法でそれらと通信してもよい。いくつかの実施形態では、プロセッサ（やコプロセッサまたはプロセッサを補助する、またはその他態様で対応付けられたその他任意の処理回路）は、装置の構成要素間で情報をやり取りするためのバスを介して、メモリ装置と通信してもよい。メモリ装置は、非一時的メモリであってもよく、例えば１つ以上の揮発性および／または不揮発性メモリを含んでもよい。すなわち、例えばメモリ装置は機械（例えばプロセッサのような演算装置）により検索可能なデータ（例えばビット）を記憶するように構成されたゲートを含む電子記憶装置（例えばコンピュータ可読記憶媒体）であってもよい。メモリ装置は、装置を本発明の例示的実施形態に係る各種機能を実行可能にするための情報、データ、コンテンツ、アプリケーション、指示等を記憶するように構成されてもよい。例えば、メモリ装置はプロセッサによる処理のための入力データをバッファするように構成されてもよい。さらに／あるいは、メモリ装置はプロセッサによる実行のための指示を記憶してもよい。
【００３７】
上述のように、装置２００はＵＥ１０２またはＲＡＮ１０４によって実現されてもよい。ただし、いくつかの実施形態では、この装置はチップまたはチップ群によって実現されてもよい。すなわち、この装置は、材料、構成要素や、構造組立品（例えば基板）の配線を含む１つ以上の物理的パッケージ（例えばチップ）を含んでもよい。構造組立品により、物理的強度、サイズ維持やその上の回路要素間の電気的作用の制限が可能となる。したがって、装置は本発明の実施形態を単一のチップ上にまたは単一の「チップ上システム」として実現するものでもあり得る。このように、チップまたはチップ群は、本明細書に記載の機能を提供するための１つ以上の操作を実行するための手段を含む場合がある。
【００３８】
プロセッサ２０２は、多様な形態で実現され得る。例えば、プロセッサはコプロセッサ、マイクロプロセッサ、コントローラ、デジタル信号プロセッサ（Digital Signal Processor：ＤＳＰ）、ＤＳＰ有りまたは無しの処理要素、または例えば、特定用途向け集積回路（Application Specific Integrated Circuit：ＡＳＩＣ）、フィールドプログラマブルゲートアレイ（Field Programmable Gate Array：ＦＰＧＡ）、マイクロコントローラユニット（MicroController Unit：ＭＣＵ）、ハードウェアアクセレレータ、特殊用途コンピュータチップ等の集積回路を含むその他様々な処理回路によって実現されてもよい。このように、いくつかの実施形態では、プロセッサはそれぞれ独立して動作する１つ以上の処理コアを含んでもよい。マルチコアプロセッサは、単一の物理的パッケージ内で、マルチプロセッシングを可能とし得る。さらに／あるいは、プロセッサはそれぞれ独立した指示の実行、パイプライン方式、マルチスレディングを可能とするようバスを介して並列に構成された１つ以上のプロセッサを含んでもよい。
【００３９】
例示的実施形態において、プロセッサ２０２はメモリ装置２０４に記憶されるか、その他方法でアクセス可能な指示を実行するように構成されてもよい。さらに／あるいは、プロセッサはハードコードされた機能を実行するように構成されてもよい。このように、ハードウェア、ソフトウェアまたはその組合せのいずれで構成されていようと、プロセッサは適宜構成されて、本発明の実施形態に係る操作を実行可能なエンティティ（例えば回路に物理的に実現される）を表すものであってもよい。したがって、例えば、プロセッサがＡＳＩＣ、ＦＰＧＡ等として実現された場合、本明細書に記載の操作を実行するよう具体的に構成されたハードウェアであってもよい。あるいは、別の例としては、プロセッサがソフトウェア指示を実行するものとして実現された場合、指示は実行されると本明細書に記載のアルゴリズムおよび／または操作をプロセッサに実行させるよう具体的に構成されてもよい。ただし、場合によっては、プロセッサは本明細書に記載のアルゴリズムおよび／または操作実行のための指示により、プロセッサのさらなる構成で本発明の実施形態を利用するように構成された特定の装置（例えば、モバイル端末または固定コンピュータ装置）のプロセッサであってもよい。特に、プロセッサは、その操作を補助するクロック、算術論理演算装置（Arithmetic Logic Unit：ＡＬＵ）、論理ゲートを含んでもよい。
【００４０】
例示的実施形態の装置２００はさらに、１つ以上のユーザ端末１１０、ユーティリティ装置等との通信を支援するよう、装置と通信する通信装置に対してデータを送受信するように構成されたハードウェアまたはハードウェアおよびソフトウェアの組合せによって実現される装置または回路のような任意の手段であり得る通信インタフェース２０６を含んでもよい。ここで、例えば通信インタフェースは、無線通信ネットワークによる通信を可能とするアンテナ（複数可）、補助ハードウェアおよび／またはソフトウェアを含んでもよい。さらに／あるいは、通信インタフェースはアンテナ（複数可）を介した信号の送信や、アンテナ（複数可）を介して受信した信号の受信処理のためにアンテナ（複数可）と作用し合う回路を含んでもよい。さらに／あるいは環境によって、通信インタフェースは有線通信に対応してもよい。このため、例えば、通信インタフェースはケーブル、デジタル加入者回線（Digital Subscriber Line：ＤＳＬ）、ユニバーサルシリアルバス（Universal Serial Bus：ＵＳＢ）またはその他機構を介した通信を補助する通信モデムやその他のハードウェアやソフトウェアを含んでもよい。
【００４１】
装置２００はさらに、ユーザに対して出力を行ったり、いくつかの実施形態では、ユーザ入力による指示を受け付けるようプロセッサ２０２と通信し得るユーザインタフェース２０８を含んだりしてもよい。このため、ユーザインタフェースはディスプレイを含んでもよく、いくつかの実施形態ではさらにキーボード、マウス、ジョイスティック、タッチスクリーン、タッチエリア、ソフトキー、１つ以上のマイク、複数のスピーカまたはその他入出力機構を含んでもよい。一実施形態では、プロセッサはディスプレイや、いくつかの実施形態では複数のスピーカ、リンガー、１つ以上のマイク等の１つ以上のユーザインタフェース要素の少なくともいくつかの機能を制御するように構成されたユーザインタフェース回路を含んでもよい。プロセッサおよび／またはプロセッサを含むユーザインタフェース回路は、アクセス可能なメモリ（例えば、メモリ装置２０４等）に記憶されたコンピュータプログラム指示（例えば、ソフトウェアおよび／またはファームウェア）を介して、１つ以上のユーザインタフェース要素の１つ以上の機能を制御するように構成されてもよい。
節電モード指示の送信処理例
【００４２】
次に、図３を参照にして、図２に示すような装置２００等に実行される、ネットワークにユーザ端末節電モード構成の指示を提供するための操作を説明する。装置２００は、図３のブロック３０２に示すとおり、装置２００が省電力化無線リソース制御接続に遷移したことを判定するように構成された、プロセッサ２０２、通信インタフェース２０６等の手段を有してもよい。データ通信中、通信インタフェース２０６はＲＡＮ１０４との専用チャネル（ＣＥＬＬ＿ＤＣＨ）で動作してもよい。ＲＡＮ１０４とのアクティブ通信が終了すると、通信インタフェース２０６はＣＥＬＬ／ＵＲＡ＿ＰＣＨ（Cell Paging Channel）またはＣＥＬＬ＿ＦＡＣＨ（Cell Forwarding Channel）のような省電力化無線リソース制御（ＲＲＣ）接続に遷移してもよい。プロセッサ２０２は、通信インタフェース２０６とＲＡＮ１０４との間でＲＲＣ接続状態が変化するたびに、通信インタフェース２０６からＲＲＣ接続状態指示を受信してもよい。
【００４３】
装置２００は、図３のブロック３０４に示すとおり、ＰＳＭタイマーを開始するように構成される、プロセッサ２０２等の手段を含んでもよい。プロセッサ２０２は、省電力化無線リソース制御接続への遷移に応じてＰＳＭタイマーを開始してもよい。ＰＳＭタイマーは、例えば１０秒のような所定の時間値に達するまで、または例えば１０秒から０秒へのカウントダウンのようにタイマーが時間切れとなるまでカウントするように構成されてもよい。ＰＳＭタイマー初期値は、１、５、１０、３０、６０秒、またはその他時間値であってもよい。
【００４４】
装置２００は、図３のブロック３０６に示すとおり、ＰＳＭ指示（ＰＳＭＩ）を送信させるように構成されたプロセッサ２０２、通信インタフェース２０６等の手段を有してもよい。プロセッサ２０２は、通信インタフェース２０６に、ＲＡＮ１０４へＰＳＭＩを送信させてもよい。例えばＰＳＭＩは、ＲＡＮが例えばＵＴＲＡＮのように３ＧＰＰ対応であれば信号接続解除指示であってもよく、ＲＡＮが例えばＥ−ＵＴＲＡＮ（Evolved-UTRAN）のようにＬＴＥ対応であれば電力設定指示であってもよく、あるいはその他のメッセージであってもよい。ＰＳＭＩは、ＰＳＭタイマー動作指示、ＰＳＭタイマー初期値、ＰＳＭタイマー現在値、ＰＳＭ遷移指示、ＰＳＭ解除指示、ＰＳＭ要求等のＰＳＭ構成の内の１つ以上のものを含んでもよい。
【００４５】
例示的実施形態において、プロセッサ２０２は、ＰＳＭタイマーが所定の時間値を満たすことに応じて、ＰＳＭＩを送信させてもよい。このＰＳＭＩは、ＰＳＭ構成や、ＰＳＭタイマーが終了したこと、例えばＰＳＭタイマーが時間切れとなったことを示してもよい。別の例示的実施形態では、プロセッサ２０２はＰＳＭタイマーの開始に合わせてＰＳＭＩを送信させてもよい。このＰＳＭＩは、ＰＳＭ構成とＰＳＭタイマー初期値とを含んでもよい。別の例示的実施形態では、プロセッサはＳＣＲＩ送信前にＰＳＭタイマーを開始してもよく、ＰＳＭタイマー終了前でも、ＰＳＭＩがＰＳＭ構成、ＰＳＭタイマー現在値および／または初期値を含んでもよい。
【００４６】
さらに／あるいは、ＲＲＣ接続の確立中、ＲＲＣ接続中、ＲＲＣ解除段階等において、ＰＳＭＩがＲＡＮ１０４に送信されてもよい。
【００４７】
例示的実施形態において、コアネットワーク１０６はＰＳＭＩをＲＡＮ１０４に送信してもよい。コアネットワーク１０６により送信されるＰＳＭＩは、ＰＳＭ構成および／またはＵＥ１０２用のＰＳＭタイマー情報を含んでもよい。ＰＳＭタイマーはコアネットワーク１０６とＵＥ１０２との間のＮＡＳ層に構成されてもよい。ＰＳＭＩは、ＰＳＭＩタイマー開始、ＰＳＭタイマー現在値、ＰＳＭタイマー終了等を示す指示を含んでもよい。
【００４８】
装置２００は、図３のブロック３０８に示すとおり、接続解除コマンド指示を受信するように構成された、プロセッサ２０２、通信インタフェース２０６等の手段を有してもよい。プロセッサ２０２は、通信インタフェース２０６から接続解除コマンド指示を受信し、さらに通信インタフェース２０６がＲＡＮ１０４から接続解除コマンド指示を受信してもよい。接続解除は、装置２００がアイドルモードまたはＰＳＭに遷移することを示してもよい。接続解除コマンド指示は、装置２００が省電力化ＲＲＣ接続への遷移、ＰＳＭタイマーの開始または終了等の、ＰＳＭ構成条件を少なくとも部分的に満たしたことに応じて受信されてもよい。
【００４９】
装置２００は、図３のブロック３１０に示すとおり、ＰＳＭ構成条件を満たすことでＰＳＭに遷移するように構成された、プロセッサ２０２等の手段を含んでもよい。解除接続指示を受信すると、プロセッサ２０２は、ＰＳＭタイマーが終了することや、接続解除コマンド指示が装置のＰＳＭへの遷移を示し、それがＰＳＭ構成条件をみたすのであれば、装置２００を即座にＰＳＭに遷移させてもよい。別の例示的実施形態では、プロセッサ２０２はＰＳＭタイマーが終了していない、例えばタイマーのカウントが終了していなければ、ＰＳＭへの遷移を待機してもよい。さらに別の例示的実施形態では、アイドルモードへの遷移したこと等を示す接続解除コマンド指示に基づいて、ＰＳＭ構成によりプロセッサ２０２がＰＳＭタイマーを再開するものであってもよい。プロセッサ２０２は、アイドルモードでＰＳＭタイマーが終了するというＰＳＭ構成条件を満たした後、ＰＳＭに遷移してもよい。別の例示的実施形態では、プロセッサ２０２はその他のＰＳＭ構成条件に基づいて、ＰＳＭへの遷移を待機してもよい。
節電モード指示に応じて接続解除コマンド指示を送信する処理の例
【００５０】
図４に、ユーザ端末節電モード構成の指示をネットワークに提供するための、図２に示す装置２００等により実行される操作を示す。装置２００は、図４のブロック４０２に示すとおり、節電モード指示（ＰＳＭＩ）を受信するように構成された、プロセッサ２０２、通信インタフェース２０６等の手段を有してもよい。プロセッサ２０２は、通信インタフェース２０６からＰＳＭＩを受信し、さらに通信インタフェース２０６がＵＥ１０２からＰＳＭＩを受信してもよい。ＰＳＭＩは、ＲＡＮが例えばＵＴＲＡＮのように３ＧＰＰ対応であれば信号接続解除指示に含まれてもよく、ＲＡＮがＥ−ＵＴＲＡＮ（Ｅｖｏｌｖｅｄ−ＵＴＲＡＮ）のようなＬＴＥ対応であれば電力設定指示に含まれてもよく、あるいはその他のメッセージに含まれてもよい。ＰＳＭＩは、ＰＳＭ構成、ＰＳＭタイマーカウント中であること、ＰＳＭタイマー初期値、ＰＳＭ現在値、ＰＳＭ遷移指示、ＰＳＭ解除指示、ＰＳＭ要求等の１つ以上を含んでもよい。
【００５１】
例示的実施形態において、ＵＥ１０２のＰＳＭタイマーが所定の時間値を満たすことに応じて、プロセッサ２０２がＰＳＭＩを受信してもよい。このＰＳＭＩは、ＰＳＭ構成と、ＰＳＭタイマーが終了したこと、例えばＰＳＭタイマーが時間切れとなったことを示してもよい。別の例示的実施形態では、ＵＥ１０２がＰＳＭタイマーを開始したことに合わせてプロセッサ２０２がＰＳＭＩを受信してもよい。このＰＳＭＩは、ＰＳＭ構成と、ＰＳＭタイマー初期値とを含んでもよい。別の例示的実施形態では、ＵＥ１０２はＳＣＲＩ送信前にＰＳＭタイマーを開始してもよいが、ＰＳＭタイマー終了前でも、ＰＳＭＩはＰＳＭ構成、ＰＳＭタイマー現在値および／または初期値を含んでもよい。
【００５２】
さらに／あるいは、ＲＲＣ接続の確立中、ＲＲＣ接続中、ＲＲＣ解除段階等において、ＰＳＭＩが装置２００に受信されてもよい。
【００５３】
図４のブロック４０４に示すとおり、装置２００はＰＳＭ構成に基づいて接続解除コマンド指示の送信を可能とするように構成されるプロセッサ２０２、通信インタフェース２０６等の手段を有してもよい。プロセッサ２０２は通信インタフェースに、ＰＳＭ構成条件を少なくとも部分的に満たすＵＥ１０２に基づく接続解除コマンド指示を送信させてもよい。接続解除コマンド指示は、ＵＥ１０２がアイドルモード又ＰＳＭに遷移することを示してもよい。ＰＳＭＩは、装置２００が省電力化ＲＲＣ接続に遷移する、ＰＳＭタイマー開始または終了等、ＰＳＭ構成条件を少なくとも部分的に満たしたことに応じて、操作４０２により受信されてもよい。ＵＥ１０２のＰＳＭ構成が、１つ以上のＰＳＭ構成条件を満たしたことにより、ＰＳＭＩ送信を指示したことに応じて、ＰＳＭＩを受信したことにより、プロセッサ２０２はＵＥ１０２がＰＳＭ構成条件を少なくとも部分的に満たしたと判定してもよい。さらに／あるいは、プロセッサ２０２はＰＳＭ構成条件が１つ以上満たされたと判定したことに基づいて、解除接続指示を送信させてもよい。ＲＲＣ接続中またはＲＲＣ接続の確立中に装置がＰＳＭＩを受信すると、プロセッサ２０２は、ＵＥ１０２との省電力化ＲＲＣ接続への遷移等のＰＳＭ構成条件が満たされたと判定し、解除接続指示を送信してもよい。
【００５４】
ＰＳＭ構成をＲＡＮ１０４に示すＵＥ１０２は、ＵＥとのデータ接続が維持される従来の省電力化ＲＲＣ接続と比較してより省バッテリ電力消費となるＰＳＭに遷移可能である。省バッテリ電力消費により、ライフタイムバッテリが実現可能となり得る。すなわち、例えばＵＥの製品寿命の間中、交換、充電を必要とせず、搭載、使用可能な電池が実現可能となり得る。さらに、ＲＡＮ１０４をＰＳＭ構成にアクセス可能とすることで、ネットワーク制御、ＵＥ１０２のモードや挙動についての知識を向上できる。
【００５５】
上述のように、図３および図４は、本発明の例示的実施形態に係る装置２００、方法、およびコンピュータプログラムプロダクトのフローチャートを示す。フローチャートの各ブロックは、１つ以上のコンピュータプログラム指示を含むソフトウェアの実行に対応する、ハードウェア、ファームウェア、プロセッサ、回路、その他の通信装置のような、様々な手段で実現されてもよいことが理解されよう。例えば、コンピュータプログラム指示により、上述の処理が１つ以上実現されてもよい。そのため、上述の処理を実現するコンピュータプログラム指示は、本発明の実施形態を利用した装置のメモリ装置２０４に記憶され、当該装置のプロセッサ２０２により実行されてもよい。そのようなあらゆるコンピュータプログラム指示は、マシン製造用コンピュータまたはその他のプログラム可能装置（例えば、ハードウェア）に読み出されて、それによりコンピュータまたはその他のプログラム可能装置がフローチャートブロックで指定された機能を実現するものとしてもよい。そのようなコンピュータプログラム指示は、コンピュータまたはその他のプログラム可能装置にある形式の機能を果たすように指示するコンピュータ可読メモリに記憶されて、コンピュータ可読メモリに記憶された指示によって、実施されることによりフローチャートブロックに規定された機能を実現する製造物を生成するようにしてもよい。コンピュータプログラム指示は、コンピュータまたはその他のプログラム可能装置に読み出されて、一連の操作をコンピュータまたはその他のプログラム可能装置で実施し、コンピュータ実現プロセスを生成して、コンピュータまたはその他のプログラム可能装置で実施した指示がフローチャートブロックに規定された機能を実施するための操作を行わせるようにしてもよい。
【００５６】
これにより、フローチャートの各ブロックは、規定の機能を実施する手段の組合せおよび規定の機能を実施するための操作の組合せをサポートする。また、フローチャートの１つ以上のブロックおよびフローチャート中のブロックの組合せは、規定の機能または専用ハードウェアおよびコンピュータ指示の組合せを実施する専用ハードウェアベースのコンピュータシステムによって実施することができることも理解されよう。
【００５７】
いくつかの実施形態では、上述の操作のいくつかを変形またはさらに増強してもよい。さらに、いくつかの実施形態では、例えば図３のブロック３０２および３０４に点線で示した箇所のように追加の任意操作を含んでもよい。上述の操作の変形、追加、または増強は、任意の順序または任意の組合せで実施してもよい。
【００５８】
本明細書に記載した本発明の多くの変形例およびその他の実施形態は、上述の説明および添付の図面に示された教示を基にすれば、本発明の技術分野に関する当業者にとっては明らかであろう。したがって、本発明は開示された特定の実施形態に限定されるものではなく、変形例およびその他の実施形態は特許請求の範囲に含まれることを意図されていることが理解されよう。さらに、上述の説明および添付の図面は例示的実施形態を構成要素および／または機能のある例示的組合せで説明しているが、構成要素および／または機能の別の組合せも特許請求の範囲から逸脱することなく、別の実施形態によって実施可能であることも明らかであろう。この点において、例えば、本明細書に明示されたものとは異なる構成要素および／または機能の組合せも、添付の請求項のいくつかに規定され得る。本明細書では特定の用語が使用されているが、これらは通常の説明的な意味においてのみ用いられており、限定する目的ではない。
【図１】
0006378782.tif 000002
【図２】
0006378782.tif 000003
【図３】
0006378782.tif 000004
【図４】
0006378782.tif 000005